(57)【特許請求の範囲】
【請求項１】
梁と梁とに前後両端を載せて架け渡す箱船の甲板上に載せるブレーキ付きギアモータの出力軸の先にカップリングとベアリングユニットと巻取りドラムとベアリングユニットとを順次に取り付けし、巻取りドラムの真下に位置する甲板と船底板との双方に開ける穴それぞれの周りに固定するベアリングの内径内それぞれに貫通させて固定するパイプシャフトの下端部を船底板より下に出し、出した下端部に不等辺角管の端部を固着させて斜めに下げ、下げた不等辺角管の両端部それぞれに外輪溝付きリングを固定し、巻取りドラムに巻いたロープをパイプシャフトの内径内に下げ、そのロープをパイプシャフトの旋回心に近い不等辺角管内の外輪溝付きリングから先端部の外輪溝付きリングの溝に架け回して下げたロープに吊り下げホルダーを付け、その吊り下げホルダーに掛ける装着帯を装着する車椅子の被介護者は廊下に位置し、その位置でリモコンを操作する事で立ち上がり不等辺角管の先端の垂直円弧位置Sより外側の外側円弧位置Jで前に体を少し倒して上半身でぶら下がるようにしながら腹筋力と少しの足の力と手摺を持つ手を引き寄せる力とで前進を繰り返す方法で便器の前に到達し、そこで体の向きを変えてリモコンを操作し便器に座る、箱船の船底板の下面に固定する筒状の縦壁の内径と同じ大きさの穴を真下の天井板に開け、その筒状の縦壁の内径内を不等辺角管の先端が旋回できるようにし、さらに筒状の縦壁の下端にネジで固定する縁枠で天井板に開けた穴の縁を保持するようにした身体移動機。
【発明の詳細な説明】
【技術分野】
【０００１】
便器周りと寝台周り等のピンポイントでぶら下りながら腹筋力で体を移動できる身体移動機の分野。
【背景技術】
【０００２】
腹筋力を有する被介護者自身が寝台周りや便所周りのピンポイントで介護者が不在の場合でもぶら下りながら腹筋力や少しの足の筋力や手の力等で移動できる身体移動機は日々筋力を使用し、それを被介護者が望むなら身動きせずに介護を受けるより精神的にも健康的にも生気に満ちた事になる、しかし天井裏内に身体移動機を配置する場合は身体移動機の下に位置する天井板を大きく削除し、その削除後の天井板の補修と天井裏内の縦壁の新設等で増改築費が高くなり、その費用を安くする方法が求められた。
【先行技術文献】
【特許文献】
【０００３】
【特許文献１】特願2009−159298
【発明の概要】
【発明が解決しようとする課題】
【０００４】
梁と梁とのそれぞれに前と後とを載せて身体移動機を固定する場合は身体移動機の下の天井板を大きく削除し開口する必要があり、その天井裏の開口周りに縦壁を新設する必要があり、その削除部分の天井板の縁は2〜5センチメートル程度が垂れ下がり、その垂れ下がった天井板の修正と天井裏の縦壁の新設と
の費用を軽減させる方法を模索した。
【課題を解決するための手段】
【０００５】
上記目的を達成するために、梁と梁とのそれぞれに前と後ろとを載せて架け渡す箱船の甲板上にブレーキ付きギアモータを載せ、このブレーキ付きギアモータの出力軸の先にカップリングとベアリングユニットと巻取りドラムとベアリングユニットとを順次に連結させて取り付けた。
【０００６】
巻取りドラムの真下に位置する箱船の船底板と甲板との双方に開ける穴それぞれの周りにベアリングを固定し、それらのベアリングの内径内それぞれに貫通させて固定するパイプシャフトの下端部を船底板より下に出し、出した下端部に不等辺角管の端部を固着させて斜めに下げ、斜めに下げた不等辺角管内の両端部双方に外輪溝付きリングを固定した。
【０００７】
巻取りドラムに巻いたロープをパイプシャフトの内径内に下げ、下げたロープをパイプシャフトの内径心に近い不等辺角管内の外輪溝付きリングの溝に架け回し、そのロープを不等辺角管内の先端部の外輪溝付きリングの溝に架け回して下げ、下げたロープの下端に吊り下げホルダーを付けた。
吊り下げホルダーに掛けた装着帯を装着した車椅子の被介護者は廊下に位置し、その位置は図5に示す外側円弧位置Jになり、その外側円弧位置Jは不等辺角管の先端を垂直に下げた垂直位置Sより外側になる為ロープは外方向で斜めに下がり不等辺角管の先端が向く方向は自動的に被介護者の装着元に向いた。
【０００８】
廊下に位置する被介護者はリモコンを操作し図5から自身を吊り上げて立ち上がり、さらに1丸の立ち位置から上半身を２丸の位置に傾けてロープにぶら下がりながら手摺E2を掴んで腹筋力と少しの足の力と手摺E2を引き寄せる手の力とで２丸の立ち位置になり、さらに２丸の立ち位置から上半身を２丸の位置に傾けてロープにぶら下がりながら手摺E3を掴んで腹筋力と少しの足の力と手摺E3を引き寄せる手の力とで３丸の立ち位置になり、その状態で体の向きを変えてリモコンを操作し便器に座った。
【０００９】
箱船の船底板の下面に固定する筒状の縦壁の内径と同じ大きさの穴を真下の天井板に開け、その筒状の縦壁の内径内を不等辺角管の先端が旋回できるようにし、その筒状の縦壁の下端にネジ留めする縁枠で天井板に開けた穴の縁を保持できるようにした身体移動機。
【発明の効果】
【００１０】
住宅を構成する骨組みに載せて固定する事で身体移動機は大きな強度と安定性を得る事が可能になり、その取り付けに伴い天井板に大きな穴を開ける事になり増改築補修費用の心配が発生する、しかし天井板の穴の縁を身体移動機の下面に固定する筒状の縦壁で保持し天井裏の空間を遮断する事で増改築費用を軽減させた。
【図面の簡単な説明】
【００１１】
【図１】身体移動機の取り付け断面図。
【図２】身体移動機の取り付け斜視図。
【図３】筒状の板壁の斜視図と断面図。
【図４】廊下と便所内の便器との平面図。
【図５】廊下で車椅子に座る被介護者に吊り下げホルダーを取り付けた正面図。
【図６】廊下の車椅子から立った状態の正面図。
【図７】車椅子から立ち一歩進んだ状態の正面図。
【図８】便器の前まで進んだ状態の正面図。
【図９】コンクリート住宅の床に取り付けた断面図。
【発明を実施するための形態】
【００１２】
本発明の一実施形態に係る筒状の縦壁Tを下面に固定する身体移動機を説明する、梁Hと梁Hとに前と後ろとを載せて架け渡す箱船Fの甲板FK上にブレーキ付きギアモータMを載せ、このブレーキ付きギアモータMの出力軸MSの先にカップリングMCとベアリングユニットMBと巻取りドラムRDとベアリングユニットMBとを順次に連結させて取り付けた。
巻取りドラムRDの真下に位置する箱船Hの船底板FSと甲板FKとの双方に開ける穴それぞれの周りにベアリングB1とB2とを固定し、それらのベアリングB1とB2との内径内それぞれに貫通させて固定するパイプシャフトPの下端部を船底板FSより下に出し、出したパイプシャフトPの下端部に不等辺角管Kの端部を固着させて斜めに下げ、斜めに下げた不等辺角管K内の両端部それぞれに外輪溝付きリングG1とG2とを固定した。
巻取りドラムRDに巻いたロープRをパイプシャフトPの内径内に下げ、下げたロープRをパイプシャフトPの内径心に近い不等辺角管K内の外輪溝付きリングG1の溝に架け回し、そのロープRを不等辺角管K内の先端部の外輪溝付きリングG2の溝に架け回して天井板FTより下げ、下げたロープRの下端に吊り下げホルダーQTを付けた。
吊り下げホルダーQTに掛ける装着帯Qを装着する車椅子Aの被介護者は廊下に位置し、その位置は図5に示す外側円弧位置Jになり、その外側円弧位置Jは不等辺角管Kの先端を垂直に下げた垂直円弧位置Sより外側になる為、ロープRは外方向に下がり、不等辺角管Kの先端の向きも自動的に被介護者の装着元に向く事になる。
廊下に位置する車椅子Aの被介護者はリモコンを操作し図5の状態から自身を吊り上げて立ち上がり、さらに１丸の立ち位置から上半身を２丸の位置に傾けてロープRにぶら下りながら手摺E2を掴んで腹筋力と少しの足の力と手摺E2を引き寄せる手の力とで２丸の立ち位置になり、さらに２丸の立ち位置から上半身を３丸の位置に傾けてぶら下りながら手摺E3を掴んで腹筋力と少しの足の力と手摺E3を手で引き寄せる力とで３丸の立ち位置になり、その状態で体の向きを変えてリモコンを操作し便器に座った。
箱船Fの船底板FSの下面に固定する筒状の縦壁Tの内径と同じ大きさの穴を真下の天井板FTに開け、その筒状の縦壁Tの内径内を不等辺角管Kの先端が旋回できるようにし、その筒状の縦壁Tの下端にネジ留めする縁枠Fで天井板FTに開けた穴の縁を保持できるようにした身体移動機。
【符号の説明】
【００１３】
H        梁
HT      吊り木
HS      桟木
HG      構造合板
HY      上階の床板
FT      天井板
F        箱船
FS      船底板
FK      甲板
M        ブレーキ付きギアモータ
MS      出力軸
MC      カップリング
MB      ベアリングユニット
RD      巻取りドラム
R        ロープ
P        パイプシャフト
B1      ベアリング
B2      ベアリング
BY      ベアリングの外輪
K        不等辺角管
KY      補強板
G1      パイプシャフトの旋回心に近い外輪溝付きリング
G2      不等辺角管の先端部の外輪溝付きリング
GB      外輪溝付きリングの内径に差し込むボルト
GN      ナット
T        大口径の筒壁
TW      大口径の筒壁の下端の補強輪
TWN    補強輪に固着させた板ナット
TWB    大口径の筒壁に補強輪を留めるビスネジ
TA      ボルト穴
FBN    補強輪に開けたメネジ穴
F        縁枠
FTW    身体移動機を使用止めした場合に縁枠を外した後に取り付ける天井蓋
FB      補強輪に縁枠を留めるボルト
A        車椅子
AK      壁
AH      引き戸
AB      便器
E2      手摺
E3      手摺
S        不等辺角管の先端を垂直に下げた垂直円弧位置
J        垂直位置より外側円弧位置
１丸外側円弧位置
２丸外側円弧位置
３丸外側円弧位置
AR      リモコンを入れるポケット
QT      吊り下げホルダー
Q        装着帯（実願2015−5964）
【要約】
【課題】身体移動機を住宅の骨組みに固定し大きな強度と安定性を得る為に高い増改築費用を必要とした。
【解決手段】身体移動機の下側で旋回させる不等辺角管の先端から被介護者を吊り上げ介護をできるロープを下げ、その旋回する不等辺角管の先端を囲う大口径の筒状の縦壁を身体移動機の下面に固定し、その大口径の筒状の縦壁が屋根裏の空間をさえぎる壁になり、さらにその大口径の筒状の縦壁の下端に取り付け取り外しができる縁枠をネジ留めし、その縁枠で大きく開口させた天井板の開口部分を保持できるようにし、さらに身体移動を使用する必要が消失した場合縁枠を取り外して化粧蓋を取り付けできるようにした。
【選択図】図1【図１】
0005947472.tif 000002
【図２】
0005947472.tif 000003
【図３】
0005947472.tif 000004
【図４】
0005947472.tif 000005
【図５】
0005947472.tif 000006
【図６】
0005947472.tif 000007
【図７】
0005947472.tif 000008
【図８】
0005947472.tif 000009
【図９】
0005947472.tif 000010